(57)【要約】【課題】乳液またはクリーム状化粧品の使用感を客観的に評価し表現することができる方法を提供することを目的とする。【解決手段】乳液またはクリーム状化粧品を定常流動測定により、ずり速度とずり応力の関係を測定し、そのずり速度依存性に対する粘度依存性をＨｅｒｓｃｈｅｌ−Ｂｕｌｋｌｅｙ式により得られる値に基づいて、乳液またはクリーム状化粧品を評価すること及び／または得られた値を組合せて二次元グラフにプロットすることによって、前記乳液またはクリーム状化粧品の使用感を客観的に評価することを特徴とする乳液またはクリーム状化粧品の評価方法により上記課題を解決する。【選択図】図１
2016121895.tif 000002
【特許請求の範囲】
【請求項１】
乳液またはクリーム状化粧品を定常流動測定により、ずり速度とずり応力の関係を測定し、そのずり速度依存性に対する粘度依存性を下記の数式１を用いて解析することにより得られる値に基づいて乳液またはクリーム状化粧品の使用感を評価することを特徴とする乳液またはクリーム状化粧品の評価方法。
【数１】
2016121895.tif 000006
【請求項２】
物性測定装置を用いて測定されたクリープ試験のデータから降伏応力を算出した後、官能評価との相関関係を調べることによって評価することを特徴とする請求項１記載の乳液またはクリーム状化粧品の評価方法。
【請求項３】
数式１を用いた波形解析により得られた値がσｃ，ｋ，ｎの値であることを特徴とする請求項１または２記載の乳液またはクリーム状化粧品の評価方法。
【請求項４】
数式１を用いた解析により得られた値及び／または請求項２で得られた降伏応力を組合せて二次元グラフにプロットすることにより、乳液またはクリーム状化粧品の使用感を評価することを特徴とする請求項１〜３いずれか記載の乳液またはクリーム状化粧品の評価方法。
【発明の詳細な説明】
【技術分野】
【０００１】
本発明は乳液またはクリーム状化粧品の評価方法に関し、その使用感を官能評価によらず、動的粘弾性装置を用いた物性測定により数値化し表現することを特徴とする乳液またはクリーム状化粧品の評価方法に関する。
【背景技術】
【０００２】
従来、化粧品の使用感は人による官能評価を主体として行われてきた。しかしながら人による官能検査は、先入観や、人の個性に依存する、人の体調に依存する、及び数値化できないという点で客観的かつ定量的な評価方法の開発が求められてきた。特に乳液またはクリーム状化粧料の使用感は、使用者が化粧料を手に取り肌に乗せ、塗り伸ばし広げながら、べたつき、ぬるつき、しっとり感、さらっと感、肌なじみ感などを化粧料の状態変化と同時に経時的かつ多元的に感じて評価しており、客観的かつ定量的に多数の感覚を評価することが求められている。
【０００３】
そこで、化粧品の官能評価を数値化する研究も進められており、例えば化粧料に外力を加えたときに該化粧料のせん断変形が線形域から非線形域に移行するときの移行せん断応力を求め、該移行せん断応力と官能評価者による前記化粧料の使用感の官能評価の評点との相関に基づいて、前記化粧料の使用感を評価する方法（例えば、特許文献１参照。）が提案されているが、化粧料が肌の上で塗り広げられる感触は、主に化粧料の非線形領域での行為であることから、移行せん断応力は実使用に近い使用状況を客観的に評価しているとはいい難い。また、本方法は化粧料の「さらっとした感触」のみを官能評価とつき合わせており、多元的に評価できていない。
【０００４】
またレオメーターを用いて損失正接ｔａｎδ値を測定し、それに基づき化粧料の肌への塗布時のぬるつきの程度を評価する方法（例えば、特許文献２参照。）が提唱されているが、レオロジー測定において損失正接ｔａｎδ値は貯蔵弾性率Ｇ’に対する損失弾性率Ｇ”の値であり、化粧料のぬるつきの無さが貯蔵弾性率Ｇ’や損失弾性率Ｇ”に相関せず、損失正接ｔａｎδ値のみに相関する本評価方法は、非常に限られた条件での結果と推測される。このように得られた、ぬるつき無さの評価は、限られた条件でかつぬるつきの程度という一評価項目のみを表しており、化粧料を多元的に客観的に評価することは困難であった。
【０００５】
化粧料を定常流動測定でずり応力を測定し、そのずり速度依存性をＨｅｒｓｃｈｅｌ−Ｂｕｌｋｌｅｙ式により得られるｎ値からさっぱりした感触をみた高分子の例がある（例えば、非特許文献１参照。）。しかし、乳液またはクリーム状化粧料は、高分子や増粘剤とは異なり、乳化物特有の塗り伸び広げながら、べたつき、ぬるつき、しっとり感、さらっと感、肌なじみ感などの状態変化を同時に経時的かつ多元的に評価する方法は、高分子の定常流動測定から得られた結果とは異質のものである。
【先行技術文献】
【特許文献】
【０００６】
【特許文献１】特許第４７２１９９４号公報
【特許文献２】特開２０１２−４７６６７号公報
【非特許文献】
【０００７】
【非特許文献１】Ｊ．Ｓｏｃ．Ｃｏｓｍｅｔ．Ｃｈｅｍ．Ｊｐｎ．３９（４）２８２−２８９（２００５）
【発明の概要】
【発明が解決しようとする課題】
【０００８】
本発明は、乳液またはクリーム状化粧品の使用感を客観的に評価し表現することができる方法を提供することを課題とする。
【課題を解決するための手段】
【０００９】
本発明者らは上記課題を達成するために鋭意検討を行った結果、乳液またはクリーム状化粧品の特性を把握し、使用感を客観的に表現することができる乳液またはクリーム状化粧品の評価方法として、粘弾性液体の降伏応力を求める式であるＨｅｒｓｃｈｅｌ−Ｂｕｌｋｌｅｙ式から得られる値を用いることを見出した。
【００１０】
粘弾性液体の降伏応力値を求める方法は上記手法の他、一定温度下で一定応力を与え続け、時間による変位量を測定するクリープ測定があるが、この手法により導かれた数値は、物質の線形域と非線形域を精査した値であり、真の降伏応力値とされている。クリープ測定により導かれた値においても、化粧料を肌の上に乗せてから伸ばし始める状態の感触をみるのに有効である。
【００１１】
すなわち、本発明は乳液またはクリーム状化粧品を定常流動測定により、ずり速度とずり応力の関係を測定し、そのずり速度依存性に対する粘度依存性をＨｅｒｓｃｈｅｌ−Ｂｕｌｋｌｅｙ式により得られる値に基づいて、乳液またはクリーム状化粧品を評価すること及び／または得られた値を組合せて二次元グラフにプロットすることによって、前記乳液またはクリーム状化粧品の使用感を客観的に評価することができる。
【発明の効果】
【００１２】
本発明の評価方法によれば、官能評価に頼ることなく、乳液またはクリーム状化粧品を定常流動測定により、ずり速度とずり応力の関係を測定し、そのずり速度依存性に対する粘度依存性をＨｅｒｓｃｈｅｌ−Ｂｕｌｋｌｅｙ式（下記の数式１）にあてはめて解析することにより得られた値をもとに乳液またはクリーム状化粧品の使用感を客観的に評価することができる。
【００１３】
【数１】
2016121895.tif 000003
【図面の簡単な説明】
【００１４】
【図１】図１は乳液またはクリーム状化粧品の官能評価と機器測定値の相関を取った図である。
【図２】図２は乳液またはクリーム状化粧品の官能評価と機器測定値の相関を取った図である。
【図３】図３は乳液またはクリーム状化粧品の官能評価と機器測定値の相関を取った図である。
【図４】図４は乳液またはクリーム状化粧品の官能評価と機器測定値の相関を取った図である。
【図５】図５は乳液またはクリーム状化粧品の官能評価と機器測定値の相関を取った図である。
【図６】図６は機器測定値を数式１にあてはめて波形解析し、得られたパラメータの値に基づき二次元グラフで使用感を表現した図である。
【図７】図７は機器測定値を数式１にあてはめて波形解析し、得られたパラメータの値に基づき二次元グラフで使用感を表現した図である。
【発明を実施するための形態】
【００１５】
以下、本発明につき詳細を説明する。
本発明の乳液またはクリーム状化粧品の評価方法は、乳液またはクリーム状化粧品を定常流動測定により、ずり速度とずり応力の関係を測定し、そのずり速度依存性に対する粘度依存性によって評価することができる。（以下、本評価方法とする）
【００１６】
本評価方法において使用する装置は、市販の回転型レオメーターで、動的粘弾性のせん断速度依存性が測定できるものであれば特に制限するものではないが、例えば株式会社アントンパール社製のＭＣＲ−３０２が使用することができる。また測定冶具はパラレルプレート、コーンプレート等が使用できる。測定に際しての条件設定として、化粧品を使用する環境を考慮して、測定温度は３０〜３５℃が好ましい。せん断速度は使用者が乳液またはクリーム状化粧品を、塗り伸ばし広げる動作を想定し、０．０１〜１０００ｓｅｃ−１の範囲で測定することが好ましい。
【００１７】
上記のようにして測定されたせん断粘度と、せん断速度を数式１にあてはめて解析を行い、乳液またはクリーム状化粧品の使用感を客観的に表すことができる。ここでいうσｃは降伏応力、ｋは非ニュートン粘性係数、ｎは粘度指数である。これらの値のうち、官能評価と相関の高いパラメータを用いて乳液またはクリーム状化粧品の使用感を客観的に表すことができる。
【００１８】
乳液またはクリーム状化粧品を使用する際の評価項目としては、指つき感、伸ばしやすさ、なじみやすさ、さらっと感、コク感、保湿感が代表的なものとして挙げられる。指つき感はクリームを手に取る際に想定通りの量とることができるかどうかの感覚を指す。伸ばしやすさは手に取ったクリームを塗布する際に軽く滑る感覚を指す。なじみやすさとは、クリームを伸ばし塗り広げる際に肌に馴染んでいく（クリームが消えていく）感覚を指す。さらっと感はクリームを伸ばし塗り広げる際に感じるみずみずしさの感覚を指す。コク感はクリームを伸ばし塗り広げる際に感じるリッチ感（高級感）を指す。保湿感はクリームを塗り広げた後に、感じるしっとり感を指す。
【００１９】
これらの官能評価項目と、機器測定により得られたレオロジーパラメータとの相関を求めると、σｃは伸ばしやすさ、なじみやすさと、ｋは保湿感と、ｎはさらっと感、コク感に相当する。
次に実施例を挙げて本発明を更に詳しく説明するが、本発明はこれらの実施例になんら制約されるものでない。
【実施例】
【００２０】
（本評価方法）
機器測定はＭＣＲ−３０２（（株）アントンパール社製）を用いて、せん断速度依存によるせん断粘度を測定した。
パラレルプレート（直径：３５ｍｍまたは５０ｍｍ）を用い、測定温度は３０℃でせん断速度は０．０１〜１００ｓｅｃ−１の範囲で測定を行った。
これにより得られた測定データを数式１にあてはめ、σｃ、ｋ及びｎの値を求めた。
求めた値を表１に示す。
【００２１】
【表１】
2016121895.tif 000004
【００２２】
（官能評価）
官能評価は５名のパネルにより、市販および試作品の保湿クリーム５種（ａ〜ｅ）を用いて、指つき（取りにくい−取りやすい）、伸ばしやすさ（伸ばしにくい−伸ばしやすい）、なじみやすさ（なじみにくいーなじみやすいい）、さらっと感（さらっとしない−さらっとする）、コク感（コクがない−コクがある）、保湿感（保湿感がないー保湿感がある）について評価を実施した。評価は市販品ａを標準品とし、同等であれば３として５段階で評価を実施した。（最もよいものを５とした）
得られた結果を表２に示す。
【００２３】
【表２】
2016121895.tif 000005
【００２４】
（本発明による評価方法と官能評価との相関）
本発明により得られた測定値と、官能評価結果を２軸マッピングしたところ、図１〜３より明らかなように、σｃは伸ばしやすさ、なじみやすさに、ｋは保湿感に、ｎはみずみずしさ、コク感に相当する。
【００２５】
（本発明による評価方法の二次元グラフ）
機器測定により得られた値を組合せて二次元グラフで乳液またはクリーム状化粧品の使用感を評価したところ、図６〜７より明らかなように官能評価との相関が高く、乳液またはクリーム状化粧品の使用感を客観的に表現することが可能となった。
【００２６】
上記結果より、本発明の評価方法は、官能評価と近い結果を得ることができるものであり、官能評価の代替試験法として用いることができる。
【産業上の利用可能性】
【００２７】
本発明の評価方法によれば、乳液またはクリーム状化粧品の使用感を機器測定に基づき表現することができる。これにより人の感覚に左右されることなく客観的な評価をすることが可能であり、産業上貢献大である。
【図１】
2016121895.tif 000007
【図２】
2016121895.tif 000008
【図３】
2016121895.tif 000009
【図４】
2016121895.tif 000010
【図５】
2016121895.tif 000011
【図６】
2016121895.tif 000012
【図７】
2016121895.tif 000013